(57)【要約】【課題】バッテリー電力を節約し充電速度を加速するために、ユーザーの必要性およびコンピューターの操作性に従って、快速充電モードまたは防護モードを選択する携帯電子機器を充電する方法を提供する。【解決手段】携帯電子機器を充電する方法を開示するものであって、携帯電子機器が電力源に接続される時、携帯電子機器の現行操作状態に従ってバッテリーを充電するために、方法が防護モードまたは快速充電モードを選択すると同時に、バッテリー電力も安全範囲に制御されるため、デバイス効率に影響を与えることなく携帯電子機器のバッテリーを高速で充電できるとともに、バッテリーがまた過充電から保護されて、バッテリーの寿命を延長する。【選択図】図２
2008043186.tif 000002
【特許請求の範囲】
【請求項１】
携帯電子機器を充電する方法であり、携帯電子機器のバッテリーを充電することに適するものであって：
（ａ）制御信号を受信すること；
（ｂ）前記制御信号に従って快速充電モードまたは防護モードを選択すること；
（ｂ１）もしも前記快速充電モードが選択されたら、電力節約プロセスを実行すること；
（ｂ２）もしも前記防護モードが選択されたら、前記バッテリーの前記電力が第１参考値よりも小さいかどうかを決定すること；
（ｂ２−１）もしも前記バッテリーの前記電力が前記第１参考値よりも小さいならば、前記バッテリーを充電すること；および
（ｃ）前記バッテリーを前記バッテリーの前記電力が第２参考値に達するまで充電すること
を含むものである携帯電子機器を充電する方法。
【請求項２】
前記ステップ（ｂ２）の後において、さらに、もしも前記バッテリーの前記電力が前記第１参考値よりも大きければ、前記バッテリーを充電しないステップ（ｂ２−２）を含むものである請求項１記載の携帯電子機器を充電する方法。
【請求項３】
前記防護モードまたは前記快速充電モードがユーザーの必要に基づいて如何なる時でも執行されるために選択され、前記ユーザーにより選択された前記充電モードに対応する前記制御信号が前記携帯電子機器により発生されるものである請求項１記載の携帯電子機器を充電する方法。
【請求項４】
前記電力節約プロセスが、スクリーンバックライトソースを減光すること又はプロセッサーの速度を低減させることを含むものである請求項１記載の携帯電子機器を充電する方法。
【請求項５】
前記第１参考値が、前記バッテリーの前記電力容量の１％から１０％の間である請求項１記載の携帯電子機器を充電する方法。
【請求項６】
前記第２参考値が、前記バッテリーの前記電力容量の９０％から１００％の間である請求項１記載の携帯電子機器を充電する方法。
【請求項７】
前記携帯電子機器が、ラップトップコンピューター、携帯電話またはパーソナルデジタルアシスタント（ＰＤＡ）を含むものである請求項１記載の携帯電子機器を充電する方法。
【請求項８】
前記バッテリーが、ニッケル金属水素化物（Nickel-Metal Hydride = NiMH）バッテリーまたはリチウムイオン（Lithium Ion = Li-ion）バッテリーを含むものである請求項１記載の携帯電子機器を充電する方法。
【請求項９】
携帯電子機器を充電する方法であり、携帯電子機器のバッテリーを充電することに適するものであって：
制御信号を受信すること；
前記制御信号に従って防護モードを執行するかどうかを決定すること；
もしも前記防護モードが執行されるなら、前記バッテリーの前記電力が第１参考値よりも小さいかどうかを決定すること；
もしも前記電力が前記第１参考値よりも小さいならば、前記バッテリーを第２参考値に達するまで充電すること；
もしも前記防護モードが執行されないならば、電力節約プロセスを実行するとともに、前記バッテリーの前記電力が前記第１参考値よりか小さいかどうかを決定すること；および
もしも前記バッテリーの前記電力が前記第１参考値よりも小さいならば、前記バッテリーを前記バッテリーの前記電力が前記第２参考値達するまで充電すること
を含むものである携帯電子機器を充電する方法。
【請求項１０】
前記携帯電子機器が前記制御信号を受信する前において、さらに：
前記バッテリーの前記電力が第３参考値よりも小さいかどうかを決定すること；
もしも前記バッテリーの前記電力が前記第３参考値よりも小さいならば、ユーザーに前記防護モードを選択するかどうか決定するよう促すこと；および
前記ユーザーの決定に従って前記制御信号を発生すること
を含むものである請求項９記載の携帯電子機器を充電する方法。
【請求項１１】
前記防護モードまたは前記快速充電モードがユーザーの必要に基づいて如何なる時でも執行されるために選択され、前記ユーザーにより選択された前記充電モードに対応する前記制御信号が前記携帯電子機器により発生されるものである請求項９記載の携帯電子機器を充電する方法。
【請求項１２】
前記電力節約プロセスが、スクリーンバックライトソースを減光すること又はプロセッサーの速度を低減させることを含むものである請求項９記載の携帯電子機器を充電する方法。
【請求項１３】
前記第１参考値が、前記バッテリーの前記電力容量の１％から１０％の間である請求項９記載の携帯電子機器を充電する方法
【請求項１４】
前記第２参考値が、前記バッテリーの前記電力容量の９０％から１００％の間である請求項９記載の携帯電子機器を充電する方法。
【請求項１５】
前記携帯電子機器が、ラップトップコンピューター、携帯電話またはパーソナルデジタルアシスタント（ＰＤＡ）を含むものである請求項９記載の携帯電子機器を充電する方法。
【請求項１６】
前記バッテリーが、ニッケル金属水素化物（Nickel-Metal Hydride = NiMH）バッテリーまたはリチウムイオン（Lithium Ion = Li-ion）バッテリーを含むものである請求項９記載の携帯電子機器を充電する方法。
【発明の詳細な説明】
【技術分野】
【０００１】
この発明は、充電方法に関し、特に、携帯電子機器（portable electronic devices）を充電する方法に関する。
【背景技術】
【０００２】
現在、携帯電子機器用の電力供給は、２つの主要なタイプに分類することができる。電力供給の１タイプは、外部電力供給である。電力供給の別なタイプは、バッテリーである。一般に、携帯電子機器は、屋外での使用を目的としている。このような電子機器への外部電力供給のない状況において、携帯電子機器に供給できる電力源は、機器内部に組み込まれたバッテリーだけである。言い換えれば、バッテリーが携帯電子機器にとって主要な電力供給である。従って、携帯電子機器の効率性は、その電力供給が継続的かつ安定的かどうか及びそのバッテリーが迅速かつ効率的に充電できるか否かに依存している。
【０００３】
現在、ほとんどの携帯電子機器において、充電プロセスは、バッテリーが外部電力源に接続された時に始まり、充電プロセスは、バッテリーの電力がフルになった時に停止する。さもなければ、バッテリーは、自己放電を行う。従って、携帯電子機器においてバッテリーの電力容量は、バッテリーが充電を停止して一定期間後に通常低いものとなる。そこで、携帯電子機器のバッテリーは、再充電される。
【０００４】
図１は、携帯電子機器のバッテリーを充電する従来の方法を示すフローチャートである。図１において、バッテリーを充電する従来の方法は、通常モード（Normal mode）およびトリクルモード（Trickle mode  「細流モード」とも言う）を含む。携帯電子機器が電力源に接続された時、先ず制御信号を受信する（ステップＳ１１０）。次に、携帯電子機器が受信した制御信号に基づいてバッテリーを充電するための充電モードを決定する（ステップＳ１２０）が、そのうち、決定される充電モードには、通常モード（ステップＳ１３０）およびトリクルモード（ステップＳ１４０）が含まれる。いずれにしても、使用される充電モードにかかわらず、携帯電子機器は、充電プロセス期間にバッテリーがフル充電されたか否かを検知する（ステップＳ１５０）。
【発明の開示】
【発明が解決しようとする課題】
【０００５】
もしもバッテリーがフル充電であることを検知すれば、充電プロセスが終了する（ステップＳ１６０）。そして、バッテリーが次第に放電して、その電力が次第に低くなる。従って、方法は、バッテリーを充電するための充電モードを再選択するために、ステップＳ１１０に戻る。しかしながら、もしもバッテリーが部分的に充電されたことを検知したら、バッテリーは、予め選択した充電モードを使用してフル充電まで充電される（ステップＳ１７０）。バッテリーがフル充電された後、方法は、同様にステップＳ１１０に戻ってバッテリーを再び充電する充電モードを決定するための別な制御信号を受信する。充電・放電・再充電のプロセスは、バッテリーがフル充電にあることを確保するために繰り返される。しかしながら、これらのプロセスを繰り返すことは、バッテリーを充電する回数を増加させ、電荷を蓄積するバッテリーの性能がバッテリーを充電する回数の増加にともなって劣化させられる。その結果、従来の方法を使用したバッテリーを充電するやり方は、バッテリーの寿命を短縮する。
【０００６】
さらに、バッテリーが外部電力供給により充電されている時に、もしもユーザーが携帯電子機器をなお使用する場合、電力供給により提供される電力のほとんどが携帯電子機器を操作するために使用される。その結果、バッテリーが最大充電電力を使用して充電されることができなくなり、バッテリーを充電するために必要な時間が長引くものとなる。
【０００７】
そこで、この発明の目的は、バッテリーの電力を節約し、充電速度を増大するために、ユーザーの必要性およびコンピューターの操作性に従って、快速充電モードまたは防護モードのいずれかを選択する携帯電子機器を充電する方法を提供することにある。
【課題を解決するための手段】
【０００８】
上記およびその他の目的を達成するために、この発明は、携帯電子機器のバッテリーを充電するために使用することのできる携帯電子機器を充電する方法を提供するものである。この方法は、以下のステップを含む。（ａ）制御信号が受信される。（ｂ）受信された制御信号に従って快速充電モードまたは防護モードが執行するために選択される。（ｂ１）もしも快速充電モードが選択されれば、電力節約プロセスが実行される。（ｂ２）もしも防護モードが選択されれば、バッテリーの電力が第１参考値より小さいかどうか決定する。（ｂ２−１）もしもバッテリーの電力が第１参考値より小さいと決定されたら、バッテリーが充電される。（ｃ）バッテリーが第２参考値に達するまで充電される。
【０００９】
この発明の好適な実施形態中、ステップ（ｂ２）の後において、さらに、もしも前記バッテリーの前記電力が前記第１参考値よりも大きければ、前記バッテリーを充電しないステップ（ｂ２−２）を含むものである。
【００１０】
この発明の好適な実施形態中、前記防護モードまたは前記快速充電モードがユーザーの必要に基づいて如何なる時でも執行されるために選択され、前記ユーザーにより選択された前記充電モードに対応する前記制御信号が前記携帯電子機器により発生されるものである。
【００１１】
この発明の好適な実施形態中、前記電力節約プロセスが、スクリーンバックライトソースを減光すること又はプロセッサーの速度を低減させることを含むものである。
【００１２】
この発明の好適な実施形態中、前記第１参考値が、前記バッテリーの前記電力容量の１％から１０％の間であり、前記第２参考値が、前記バッテリーの前記電力容量の９０％から１００％の間である。
【００１３】
この発明の好適な実施形態中、前記携帯電子機器が、ラップトップコンピューター、携帯電話またはパーソナルデジタルアシスタント（ＰＤＡ）を含むものであり、前記バッテリーが、ニッケル金属水素化物（Nickel-Metal Hydride = NiMH）バッテリーまたはリチウムイオン（Lithium Ion = Li-ion）バッテリーを含むものである。
【００１４】
この発明は、携帯電子機器のバッテリーの電力を管理することに使用できる携帯電子機器を充電する方法するものである。前記方法が以下のステップを含む。先ず、制御信号が受信されるとともに、前記制御信号に従って防護モードを執行するかどうかを決定する。もしも前記防護モードが執行されるなら、前記バッテリーの前記電力が第１参考値よりも小さいかどうかを決定する。もしも前記電力が前記第１参考値よりも小さいならば、前記バッテリーを第２参考値に達するまで充電する。もしも前記防護モードが執行されないならば、電力節約プロセスを実行するとともに、前記バッテリーの前記電力が前記第１参考値よりか小さいかどうかを決定する。もしも前記バッテリーの前記電力が前記第１参考値よりも小さいならば、前記バッテリーを前記バッテリーの前記電力が前記第２参考値達するまで充電する。
【００１５】
この発明の好適な実施形態中、前記携帯電子機器が前記制御信号を受信する前において、前記バッテリーの前記電力が第３参考値よりも小さいかどうかを決定する。もしも前記バッテリーの前記電力が前記第３参考値よりも小さいならば、ユーザーに前記防護モードを選択するかどうか決定するよう促す。さらに、前記ユーザーの決定に従って前記制御信号を発生する。
【００１６】
この発明は、防護モードおよび快速充電モード間を切り換える構造を採用する。前記携帯電子機器が電力供給に接続される時、ユーザーにより出力される制御信号が適した充電モードを決定するために検知されて、電力消費が低減されるとともに、充電効率が増大される。
【発明の効果】
【００１７】
従って、この発明の携帯電子機器を充電する方法は、少なくとも下記する利点を有するものである。
１．携帯電子機器のバッテリーは、機器のプラグを電力源に挿入するたびに充電するものではないので、バッテリーの充電回数を減らし、バッテリーの寿命を延長する。
２．携帯電子機器のバッテリーは、ユーザーの優先に従って防護モードまたは快速充電モードのいずれかを使用して充電されるので、携帯電子機器のバッテリーの操作効率に影響を及ぼすことなく、充電プロセスがスピードアップされる。
３．バッテリー容量の充電範囲が上下限値により定義されるので、バッテリーの過充電または過放電を防止することができ、バッテリーの寿命を延長する。
【発明を実施するための最良の形態】
【００１８】
以下、この発明を実施するための最良の形態を図面に基づいて説明する。
【００１９】
充電および放電を繰り返すためバッテリーの寿命が短縮することから保護するための最良のやり方は、過充電しないことである。そこで、上限値は、この値を超えてバッテリーを充電することを防止するようにセットされる。同様に、バッテリーの電力がこの値より低い時に充電を開始するようセットすることができるから、過充電を防止することができる。この発明をより理解しやすいものとするために、この発明が実際に実現できることを証明するよう実施形態を以下に記載する。
【００２０】
図２は、この発明の好適な実施形態にかかる携帯電子機器を充電する方法を示すフローチャートである。図２において、この実施形態の充電方法は、携帯電子機器のバッテリーを充電する範囲を設定することを含んでいる。ここで、携帯電子機器は、これらに限定されるものではないが、ラップトップコンピューター、移動電話またはパーソナルデジタルアシスタント（Personal Digital Assistant = PDA）を含み、バッテリーは、これらに限定されるものではないが、ニッケル金属水素化物（Nickel-Metal Hydride = NiMH）バッテリーまたはリチウムイオン（Lithium Ion = Li-ion）バッテリーを含んでいる。この発明は、以下のステップを含んでいる。
【００２１】
先ず、携帯電子機器が充電を開始するための制御信号を受信する（ステップＳ２１０）。ここで、制御信号は、ユーザーによるファンクションキーの選択または入力あるいは携帯電子機器の操作状態のいずれかに従って発生させることができる。
【００２２】
次に、携帯電子機器が受信された制御信号に従って快速充電モード（fast charging mode）または防護モード（protecting mode）のいずれかを選択する（ステップＳ２２０）。もしも快速充電モードが選択されれば、電力節約プロセス（power-saving process）が実行される（ステップＳ２３０）。ここで、電力節約プロセスは、これらに限定されるものではないが、バックライト源を減光すること又はプロセッサーのスピードを低減することを含んでいる。一旦、電力節約プロセスが開始されると、携帯電子機器がバッテリーの充電を開始し、バッテリーの電力が上限値より大きいかどうかを検知する（ステップＳ２４０）。もしもバッテリーの電力が上限値より大きくなれば、携帯電子機器が充電プロセスを終了する（ステップＳ２５０）。他方、もしもバッテリーの電力が上限値より小さければ、携帯電子機器は、バッテリーの電力が上限値に達するまで充電プロセスを継続する（ステップＳ２６０）。快速充電モードは、電力節約プロセスの実行を介して殆どの電力をバッテリーに提供できるため、充電プロセスの速度を増大させる。このタイプの充電モードは、迅速な充電ならびに頻繁なバッテリー使用を必要とするユーザーおよび場合に適している。
【００２３】
そうではなく、もしも防護モードが選択されれば、携帯電子機器は、バッテリーの電力が下限値より小さいかどうか決定する（ステップＳ２７０）。もしもバッテリーの電力が下限値より小さければ、方法は、バッテリーの電力が上限値よりも大きいかどうか決定するために、ステップＳ２４０へ進む。しかしながら、電力が下限値よりも大きければ、携帯電子機器は、バッテリーを充電しない（ステップＳ２５０）。その代わり、方法は、次に入力される制御信号を待ってバッテリーを充電するための充電モードを決定するために、ステップＳ２１０へ戻る。以上の観点において、この発明による防護モードは、バッテリーを充電するために防護範囲（即ち、上限値および下限値間の範囲）を設定する。従って、バッテリーの電力が下限値よりも大きい時、バッテリーは充電されない。よって、バッテリーは、最終的にバッテリーへのダメージという結果となる不必要な充電および放電の繰り返しを防止する。快速充電モードと比較すれば、防護モードは、それほど頻繁にバッテリーを使用しないユーザーにより適している。
【００２４】
注意すべきことは、この実施形態によれば、ユーザーは、快速充電モードを執行している時、必要な時に防護モードへ切り換えることができ、バッテリーの過充電を防止できるということである。また、防護モードの防護範囲（即ち、上下限値）は、バッテリーの全容量のある範囲内に定義することができる。例えば、防護範囲は、バッテリーの全容量の５０％から１００％の間に設定することができる。最初に、バッテリーの操作範囲は、最初の５０％に制限されている。バッテリーの操作部分が劣化した後、防護範囲は、バッテリーの全容量の０％から５０％の間に再設定される。このような設定により、バッテリーの寿命をほぼ２倍とすることができ、バッテリーへの損傷により蒙るコストを低減する。
【００２５】
従って、この発明の充電方法のための信号伝送プロセスが更にこの発明の実際の構成に基づいて以下に示される。図３は、携帯電子機器を充電するシステムを示す概略的なブロック図である。図３において、システム３１０がバスを介して制御器３２０に接続される。さらに、システム３１０が調整信号を制御器３２０へ伝送して、バッテリーを充電する上下限値を定義する。ユーザーが携帯電子機器のプラグをソケットに接続する時、交流電流（ＡＣ）電力源がＡＣ／ＤＣ変換器３５０により直流（ＤＣ）信号に変換されて、充電／放電ロジック回路３６０へ入力される。同時に、制御器３２０がバッテリー３４０の電力を検知して、バッテリー３４０から戻ってくる通信信号およびシステム３１０により提供される調整信号に従って快速充電モードまたは防護モードのいずれかを執行するように決定する。
【００２６】
もしも快速充電モードが選択されれば、制御器３２０が切り換え信号をスクリーンバックライト源３３０へ伝送して、スクリーンバックライト源３３０をオフまたは減光させる。同時に、制御器３２０が制御信号を充電／放電ロジック回路３６０へ伝送して、充電／放電ロジック回路３６０を制御するために、バッテリー３４０へ充電用の充電信号を伝送する。充電プロセスは、バッテリー３４０の電力が上限値に達した後に終了される。
【００２７】
他方、もしも防護モードが選択されれば、制御器３２０は、直ちにバッテリー３４０の電力が下限値よりも小さいかどうかを検知して、もしもバッテリー３４０の電力が下限値よりも小さいと決定すれば、バッテリー３４０の電力が上限値に達するまでバッテリー３４０を充電する。
【００２８】
この発明の別な実施形態に従って、携帯電子機器が電力源に接続されている時、より小さい充電電流を提供する防護モードまたは速い充電のためにより大きい充電電流を提供する快速充電モードのいずれかをユーザーの必要性あるいはコンピューターの現行操作に基づいて選択されることができる。
【００２９】
図４は、この発明の好適な実施形態にかかる携帯電子機器を充電する方法を示すフローチャートである。図４において、この実施形態は、携帯電子機器のバッテリーの電力を管理することに使用することができる。ここで、携帯電子機器は、これらに限定されるものではないが、ラップトップコンピューター、携帯電話またはパーソナルデジタルアシスタント（ＰＤＡ）を含むものであり、前記バッテリーは、これらに限定されるものではないが、ニッケル金属水素化物（Nickel-Metal Hydride = NiMH）バッテリーまたはリチウムイオン（Lithium Ion = Li-ion）バッテリーを含むものである。この実施形態は、以下のステップを含む。
【００３０】
先ず、携帯電子機器が充電を開始するために制御信号を受信する（ステップＳ４１０）。ここで、制御信号は、ユーザーによるファンクションキーの選択または入力あるいは携帯電子機器の操作状態のいずれかに従って発生させることができる。
【００３１】
次に、携帯電子機器が受信された制御信号に基づいて防護モードまたは快速充電モードのいずれかを選択する（ステップＳ４２０）。もしも防護モードが選択されれば、携帯電子機器がバッテリーの電力が第１参考値よりも小さいかどうか決定する（ステップＳ４３０）。もしもバッテリーの電力が第１参考値よりも小さいと決定されれば、バッテリーが充電される（ステップＳ４４０）。そして、バッテリーの電力が第２参考値まで達したかどうかが決定される（ステップＳ４５０）。充電プロセスは、バッテリーの電力が第２参考値まで達した時に終了される（ステップＳ４６０）。ここで、第１参考値は、これに限定されるものではないが、バッテリー容量の１％から１０％の間とすることができ、第２参考値は、これに限定されるものではないが、バッテリー容量の９０％から１００％の間とすることができる。
【００３２】
もしも携帯電子機器がステップＳ４２０において防護モードを執行しないと決定すれば、快速充電モードを執行し、電力節約プロセスが実行される（ステップＳ４７０）。同時に、携帯電子機器は、またバッテリーの電力が第１参考値よりも小さいかどうかを決定する（ステップＳ４３０）。もしもバッテリーの電力が第１参考値よりも小さければ、バッテリーが充電される（ステップＳ４４０）。そして、バッテリーの電力が第２参考値に達したかどうか決定される（ステップＳ４５０）。充電プロセスは、バッテリーの電力が第２参考値に達した時に終了される（ステップＳ４６０）。ここで、上記した電力節約プロセスには、例えば、スクリーンバックライト源を減光すること又はプロセッサーの速度を低減することが含まれるが、ユーザーの好みに従って設定することができる。もちろん、もしもユーザーが充電プロセス期間にスクリーンの使用または他のファンクションの執行を必要としないならば、ユーザーは、設定を介してスクリーンあるいは他の補助デバイスをオフとすることができる。
【００３３】
上記した快速充電モードに従って、携帯電子機器は、電力消費のほとんどを節約する。従って、電力源は、バッテリーの充電に十分な量の電流を提供することができる。このような状況において、充電時間が短縮されるので、快速充電の目的を達成する。
【００３４】
注意すべきことは、携帯電子機器が電力源に接続される時、ユーザーは、ユーザーの必要性に従って、防護モードまたは快速充電モードを選択できるということである。例えば、もしもユーザーが携帯電子機器でビデオを再生したいならば、バッテリーを充電するために防護モードを選択して携帯電子機器が表示品質に影響を与えることなく通常の輝度ならびに音量でフレームを表示することができる。反対に、もしもユーザーが携帯電子機器で音楽を再生したいだけであれば、快速充電モードを選択してバッテリーを充電する間において機能しないスクリーンをオフまたはプロセッサーの速度を低減することができる。従って、不必要な電力消費が節約でき、充電プロセスの速度が増大する。
【００３５】
また、携帯電子機器が電力源に接続される時、機器自体がバッテリーの電力を検知して、バッテリーの電力が第３参考値（例えば、バッテリーのオリジナル電力容量の２０％）よりも低いかどうかを決定することができる。もしもバッテリーの電力が第３参考値よりも低ければ、ユーザーは、防護モードを選択するように促され、バッテリーの残された電力に注意するよう警告される。
【００３６】
以上のごとく、この発明を最良の実施形態により開示したが、もとより、この発明を限定するためのものではなく、当業者であれば容易に理解できるように、この発明の技術思想の範囲内において、適当な変更ならびに修正が当然なされうるものであるから、その特許権保護の範囲は、特許請求の範囲および、それと均等な領域を基準として定めなければならない。
【図面の簡単な説明】
【００３７】
【図１】携帯電子機器のバッテリーを充電する従来の方法を示すフローチャートである。
【図２】この発明の好適な実施形態にかかる携帯電子機器を充電する方法を示すフローチャートである。
【図３】この発明の好適な実施形態にかかる携帯電子機器を充電するシステムを概略的に示すブロック図である。
【図４】この発明の好適な実施形態にかかる携帯電子機器を充電する方法を示すフローチャートである。
【符号の説明】
【００３８】
３１０  システム
３２０  制御器
３３０  スクリーンバックライト源
３４０  バッテリー
３５０  交流／直流変換器
３６０  充電／放電ロジック回路
Ｓ１１０〜Ｓ１７０  従来技術の携帯電子機器を充電する方法の各ステップ
Ｓ２１０〜Ｓ２７０  この発明の携帯電子機器を充電する方法の各ステップ
Ｓ４１０〜Ｓ４７０  この発明の携帯電子機器を充電する方法の各ステップ
【図１】
2008043186.tif 000003
【図２】
2008043186.tif 000004
【図３】
2008043186.tif 000005
【図４】
2008043186.tif 000006
【外国語明細書】
2008043186.tif 000007
2008043186.tif 000008
2008043186.tif 000009
2008043186.tif 000010
2008043186.tif 000011
2008043186.tif 000012
2008043186.tif 000013
2008043186.tif 000014
2008043186.tif 000015
2008043186.tif 000016
2008043186.tif 000017
2008043186.tif 000018
2008043186.tif 000019
2008043186.tif 000020
2008043186.tif 000021
2008043186.tif 000022
2008043186.tif 000023
【図１】
2008043186.tif 000024
【図２】
2008043186.tif 000025
【図３】
2008043186.tif 000026
【図４】
2008043186.tif 000027